(57)【要約】サドル形に形成された２つの支持側部（２３６、２３８）を有する回動可能な集積装置（１０２）と、変位可能なクランプ部材を有する回転可能な移送装置（１０４）と、を備えた製本機（１００）であって、前記移送装置は、折り用紙を非線形経路に沿って前記集積装置に送達し、前記集積装置は、前記移送装置から前記折り用紙を受け取るように回動し、それにより、前記折り用紙の異なった部分を前記集積装置の前記２つの支持側部の異なった側部によって支持する、製本機。
2006508819.tif 000002
【特許請求の範囲】
【請求項１】
サドル形に形成された２つの支持側部（２３６、２３８）を有する回動可能な集積装置（１０２）と、
変位可能なクランプ部材を有する回転可能な移送装置（１０４）と、
を備えた製本機（１００）であって、
前記移送装置は、折り用紙を非線形経路に沿って前記集積装置に送達し、前記集積装置は、前記移送装置から前記折り用紙を受け取るように回動し、それにより、前記折り用紙の相異なる部分を前記集積装置の前記２つの支持側部の相異なる側部で支持することを特徴とする、製本機。
【請求項２】
前記支持側部は、前記集積装置の対向しあう側部に配置されて、支持縁部（２２６）で収束することを特徴とする、請求項１に記載の製本機。
【請求項３】
前記折り用紙の一部分を支持側部に対して締め付けて、前記一部分を前記支持側部に沿って前進させる集積駆動部（１５６）を備えることを特徴とする、請求項１に記載の製本機。
【請求項４】
前記移送装置は、
回転可能なアーム（５３０）と、
固定クランプ部材（５２０）と、
を有し、前記折り用紙の一部分を変位可能なクランプ部材及び前記固定クランプ部材間に締め付けて、前記回転可能なアームを回転させることによって、前記折り用紙を前記集積装置に送達することを特徴とする、請求項１に記載の製本機。
【請求項５】
前記移送装置（１０４）は、前記折り用紙の相異なる部分を相異なる支持側部に当てて同時に固定するように構成されていることを特徴とする、請求項１に記載の製本機。
【請求項６】
トリム用紙に折り目を付け、それによって折り用紙を生じる折り装置（１０６）と、
オリジナル用紙を切断し、それによって前記トリム用紙を生じる切断装置（１０８）と、
オリジナル用紙を給紙トレイから前記切断装置に送達する給紙装置（１１０）であって、印刷装置の排紙トレイとして形成されたもの、および排紙トレイに接続されたもののうち、少なくとも一方である給紙装置（１１０）と、
前記折り用紙に穴を開ける穴開け装置（１１２）と、
前記折り用紙を前記集積装置によって受け取った後、前記折り用紙をステープル綴じするステープル綴じ装置（１１４）と、
を備えることを特徴とする、請求項１に記載の製本機。
【請求項７】
個別用紙情報の記憶及び生成の少なくとも一方を行う処理装置（１４２）を備えており、前記処理装置は、前記切断装置を制御し、それにより、前記個別用紙情報に基づいて前記オリジナル用紙を切断することを特徴とする、請求項６に記載の製本機。
【請求項８】
製本機（１００）を使用して製本する方法であって、
回転可能な移送装置（１０４）で折り用紙を締め付けるステップと、
回転可能なクランプ装置（１０４）の移動によって描かれる円弧に沿って回動可能な集積装置（１０２）に前記折り用紙を送達するステップであって、前記折り用紙は、前記集積装置の支持縁部上に載置され、それにより、前記折り用紙の折り目が前記支持縁部によって受け取られる、送達するステップと、
前記集積装置（１０４）を回動させるステップであって、それにより、前記折り用紙の相異なる部分が、前記集積装置の相異なる支持側部によって受け取られる、回動させるステップと、
を含むことを特徴とする、製本する方法。
【請求項９】
前記集積装置（１０２）は、前記折り用紙を受け取るように回動し、それにより、前記折り用紙の第１部分が前記集積装置の第１支持側部上に受け取られ、前記折り用紙の第２部分が前記集積装置の第２支持側部上に受け取られることを特徴とする、請求項８に記載の製本する方法。
【請求項１０】
トリム用紙を折るステップであって、それにより、折り用紙を生じる、折るステップと、
オリジナル用紙を切断するステップであって、それにより、トリム用紙を生じる、切断するステップと、
追加の折り用紙を規定の円弧に沿って個々に前記集積装置（１０２）に移送するステップと、
各折り用紙を受け取るように前記集積装置を回動させるステップであって、それにより、折り用紙束を前記集積装置上に形成し、追加される各折り用紙の内側折り縁部を、先に受け取っている折り用紙の外側折り縁部によって受け取る、回動させるステップと、
を含むことを特徴とする、請求項９に記載の方法。
【発明の詳細な説明】
【技術分野】
【０００１】
本発明は、包括的には用紙の取り扱いに関し、特に製本機に関する。
【背景技術】
【０００２】
印刷済み用紙をブックレットに仕上げる装置が、米国特許第６，０９９，２２５号（Allen  その他）に記載されており、これは全体的に参照によって本明細書に援用され、この特許では、ほとんどの仕上げ動作が、正確な用紙位置決めを使用して１枚ずつのベースで行われる。用紙は、１つの作業から別の作業へ水平用紙経路に沿って搬送される。また、Allen特許は、折ったブックレット用紙を集積するための逆Ｖ字型をした製造途中の製品を開示している。
【０００３】
１枚ずつのベースで中綴じブックレットを作製する別の装置が、ＰＣＴ第ＷＯ００／１８５８３号（Trovingerその他）に開示されており、これは全体的に参照によって本明細書に援用される。この装置では、折ったブックレット用紙を、補助駆動装置を使用して折り装置から往復動サドルへ送る。そのような送り装置では、用紙の経路が直線的な水平線であるが、折り用紙（折り曲げられた用紙）は垂直方向に（すなわち、サドル上に）、すなわち、用紙経路に垂直に蓄積される。TrovingerＰＣＴに記載されている往復動サドルは、折り用紙の終端側をサドルの後側上へ搬送できるようにする。
【発明の開示】
【０００４】
本発明の例示的な実施形態によれば、サドル形に形成された２つの支持側部を有する回動可能な集積装置と、変位可能なクランプ部材を有する回転可能な移送装置と、を備えた製本機であって、前記移送装置は、折り用紙を非線形経路に沿って前記集積装置に送達し、前記集積装置は、前記移送装置から前記折り用紙を受け取るように回動し、それにより、前記折り用紙の相異なる部分を前記集積装置の前記２つの支持側部の相異なる側部によって支持する、製本機が提供される。
【０００５】
本発明の別の実施形態によれば、製本する方法であって、回転可能な移送装置で折り用紙を締め付けるステップと、前記回転可能なクランプ装置の移動によって描かれる円弧に沿って回動可能な集積装置に前記折り用紙を送達するステップであって、前記折り用紙は、前記集積装置の支持縁部上に載置され、それにより、前記折り用紙の折り目が前記支持縁部によって受け取られる、送達するステップと、前記集積装置を回動させるステップであって、それにより、前記折り用紙の相異なる部分が、前記集積装置の相異なる支持側部によって受け取られる、回動させるステップと、を含む製本する方法が提供される。
【０００６】
本発明の別の実施形態によれば、折り装置、サドル形をした回動可能な集積装置と、変位可能なクランプ部材を有する回転可能な移送装置と、を備える製本機であって、前記移送装置は、折り用紙を非線形経路に沿って前記集積装置に送達し、前記集積装置は、前記折り用紙を前記移送装置から受け取るように回動し、それにより、前記折り用紙の相異なる部分を前記集積装置の対向しあう側部によって支持する、移送装置と、前記折り用紙の一部分を前記集積装置に対して締め付けて、その部分を前記集積装置の側部に沿って前進させる集積駆動部とを備えている。
【０００７】
好適な実施形態の以下の詳細な説明を、同様の構成要素を同様の参照番号で表している添付の図面と組み合わせて読めば、本発明の他の目的及び利点が明らかになるであろう。
【発明を実施するための最良の形態】
【０００８】
本発明の例示的な実施形態が、製本機１００として図１Ａ〜図１Ｄに示されている。製本機１００は、用紙を個別に取り扱うことによってブックレットを作製するために使用することができる。たとえば、用紙束を同時に処理する代わりに、例示的な製本機は、個別の用紙を処理、すなわち取り扱って、所望の特徴（たとえば、そろった縁部）を備えた仕上げブックレットを作製することができる。また、製本機１００は、図１Ａ〜図１Ｄに示されているように、各用紙の経路がほぼ垂直向きになる（たとえば、図面のｙ軸に沿う）ように、構成することができる。たとえば、各用紙１１６が、装置１０８、１３２及び１０６内をほぼ＋ｙ方向に移動し、移送装置１０４によって向きが変えられて−ｙ方向に移動する。例示的な実施形態では、＋ｙ方向は、重力と逆向きである。しかし、本発明の例示的な実施形態は、製本機１００を任意向きに置くことによって構成することができる。例示的な製本作業中、用紙は３種類の状態、すなわち、オリジナル、トリム、及び折りの状態をとることができ、各状態を表すために、それぞれ添え字「ａ」、「ｂ」及び「ｃ」を使用する。用紙に対応する表示番号に添え字が付いていない（たとえば、用紙１１６）場合、任意またはすべての状態を指す。本発明の例示的な実施形態は、コンパクトかつ効率的にブックレットを作製するための個別用紙の正確な取り扱いを可能にする。非制限的な例では、製本機１００は、パーソナルコンピュータまたはデスクトッププリンタと同様な寸法のデスクトップタワー型装置として構成することができる。
【０００９】
例示的な実施形態では、回動可能な集積装置（たとえば、図１Ａの集積装置１０２）は、サドル形に形成された２つの支持側部（たとえば、第１支持側部１３６及び第２支持側部１３８）を有する。
【００１０】
本発明の例示的な実施形態は、以下の同時係属中の出願のいずれか、またはすべての特徴を備えるように変更することができ、それらの出願の開示内容はすべて、参照によって本明細書に援用される。
【００１１】
「BOOKLET MAKER WITH SHEET WISE TRIM」  ２００１年３月３０日出願の米国特許出願第０９／８２０，７３９号（「同時係属出願１」）
「SHEET-WISE HOLE PUNCHING AFTER FOLDING IN BOOKLET MAKER」  ２００１年３月３０日出願の米国特許出願第０９／８２０，７４２号（同時係属出願２」）
「SHEET COLLECTING APPARATUS WITH INTEGRATED STAPLE MECHANISM」２００１年３月３０日出願の米国特許出願第０９／８２０，７４１号（同時係属出願３」）
「STAPLING APPARATUS FOR A BOOKLET MAKER」  ２００１年３月３０日出願の米国特許出願第０９／８２０，７４３号（同時係属出願４」）
「APPARATUS FOR ADVANCEMENT OF PAPER IN A NON-LINEAR PATH」  ２００１年３月３０日出願の米国特許出願第０９／８２０，７４０号（同時係属出願５」）
「SHEET FOLDING APPARATUS WITH PIVOT ARM FOLD ROLLERS」Trovingerその他により２００１年１０月５日に出願、代理人整理番号第１０００１４１８号（同時係属出願６）、
「SHEET FOLDING APPARATUS」Trovingerその他により２００１年１０月５日に出願、代理人整理番号第１００１３２８０号（同時係属出願７）、
「THICK MEDIA FOLDING METHOD」Trovingerその他により２００１年１０月５日に出願、代理人整理番号第１００１３５０８号（同時係属出願８）、
「VARIABLE MEDIA THICKNESS FOLDING METHOD」Trovingerその他により２００１年１０月５日に出願、代理人整理番号第１００１３５０７号（同時係属出願９）、
「SHEET FOLDING APPARATUS WITH ROUNDED FOLD BLADE」Trovingerその他により２００１年１０月５日に出願、代理人整理番号第１００１３５０６号（同時係属出願１０）、
「SYSTEM FOR HANDLING FOLDED SHEET MATERIAL」Trovingerにより同日に出願、代理人整理番号第１００１５１５８号（同時係属出願１１）、
「PIVOTABLE COLLECTING DEVICE」Trovingerにより同日に出願、代理人整理番号第１００１５１５６号（同時係属出願１２）。
【００１２】
たとえば、集積装置１０２は、同時係属出願１〜１２に記載されている集積装置のいずれかとして構成することができ、別法として、集積装置１０２は、折り用紙を支持する任意手段として構成することができる。
【００１３】
例示的な実施形態では、例示的な図２に示されているように、集積装置２０２（図１Ａ〜図１Ｄの集積装置１０２に対応することができる）は、第１軸２５８を中心にして回動し、サドルとして形成されている（たとえば、逆Ｖ字形に構成されている）。集積装置２０２は、第１支持側部２３６、第２支持側部２３８、支持縁部２２６及び取り付け側部２４８を有する。これらの構成要素は、金属、プラスチック、または用紙を支持することができる任意の他の材料で形成することができる。集積装置２０２は、フレーム２３４に回動可能に取り付けられ、フレーム２３４は、処理装置の支持用に当該技術分野で既知の任意の材料及び形状にすることができる。
【００１４】
例示的な実施形態には、変位可能なクランプ部材（たとえば、クランプ部材１１８）を備えた回転可能な移送装置（たとえば、図１Ａ〜図１Ｄの移送装置１０４）も設けられている。移送装置１０４は、同時係属出願１〜１２に記載されている移送装置（フリッパ及びクランプ装置とも呼ぶ）のいずれかとして構成することができる。別法として、移送装置１０４は、用紙の移送用の既知の任意手段として構成することもできる。
【００１５】
図５Ａの例示的な実施形態では、移送装置５０４は、第２軸５６０を中心にして回動し、変位可能なクランプ部材５１８、固定クランプ部材５２０及び回転可能なアーム５３０を有する。変位可能なクランプ部材５１８は、回転可能な駆動シャフト５５４に取り付けられた駆動タイヤ５５２を備えている。
【００１６】
例示的な実施形態では、移送装置は、折り用紙を非線形経路に沿って集積装置に送達し、また、集積装置は、折り用紙を移送装置から受け取るように回動し、それにより、折り用紙の異なった部分を集積装置の支持側部の異なった側部で支持する。たとえば、図５Ｃ〜図５Ｇを参照すると、移送装置５０４は、折り用紙５１６ｃを回転経路に沿って集積装置５０２に送達し、そこで集積装置は折り用紙５１６ｃを移送装置５０４から受け取るように回動して（図５Ｆを参照）、それにより、第１及び第２部分５２２及び５２４がそれぞれ第１及び第２支持側部５３６及び５３８によって支持される。第１及び第２部分２２２及び２２４は、それぞれ先端及び終端側部と呼ぶこともできる。
【００１７】
例示的な集積装置を参照すると、支持側部（たとえば、第１及び第２支持側部２３６及び２３８）は、集積装置の対向側部に配置されている。たとえば、図２を参照すると、第１及び第２支持側部２３６及び２３８は、集積装置２０２（図１Ａの集積装置１０２に対応することができる）の対向側部上に位置し、互いにほぼ平行である。別法として、第１及び第２支持側部２３６及び２３８は、その間が鈍角または鋭角をなすように配置することができ、そのような構造は、本発明の文脈における「対向」という用語の定義に含まれるであろう。
【００１８】
また、支持側部（たとえば、第１及び第２支持側部２３６及び１４８）は、支持縁部（たとえば、支持縁部２２６）で収束する。例示的な図２に示されているように、支持側部２３６及び２３８は互いにほぼ平行であるが、それぞれが相手側支持側部付近で（急に、または徐々に）湾曲する領域を有し、それにより、支持縁部２２６が形成される。支持縁部２２６は、折り用紙の折り目、たとえば、折り目２５０を支持し、鋭利なブレードとして形成するか、ある程度の曲率を有する（たとえば、丸み付きの形状にする）か、または鋭いコーナーを有することができる。
【００１９】
例示的な実施形態では、折り用紙の一部分（たとえば、図１Ｄに示された第１部分１２２）を支持側部（たとえば、第１支持側部１３６）に対して締め付けて、その部分を支持側部に沿って前進させるために、集積駆動部（たとえば、集積駆動部１５６）が設けられている。例示的な集積駆動部は、同時係属出願１２に記載されているように構成できるか、または別法として、本明細書で説明されるような機能を果たすことができる任意の方法で構成することができる。図２の例示的な実施形態では、集積駆動部２５６は、第３軸２６２を中心にして回動する。集積駆動部２５６は、取り付け側部２４８に回転可能に取り付けることができるか、別法として回動可能な集積装置２０２の別の部分に取り付けることができる。集積駆動部２５６には、タイヤ２６４、回転シャフト２６６及びアーム２６８が設けられている。
【００２０】
また、例示的な移送装置は、回転可能なアーム（たとえば、図５Ａのアーム５３０）及び固定クランプ部材（たとえば、クランプ部材５２０）を有しており、折り用紙の一部分を変位可能なクランプ部材及び固定クランプ部材間で締め付けて、回転可能なアームを回転させることによって、折り用紙を集積装置に送達する。図５Ａの例に示されているように、固定クランプ部材５２０は各アーム５３０の一端部に固定されており、その他端部はフレーム５３４に回動可能に取り付けられている。用紙を移送装置５０４内で締め付けようとする動作中、クランプ部材５１８がガイドスロット５７０に沿ってクランプ部材５２０の方へ、用紙５１６がクランプ部材５１８及び５２０間に固定されるまで、移動する。それから、アーム５３０が回転して、用紙５１６を回転経路（すなわち、アーム５３０の移動によって描かれる円弧）に沿って送達することができる。また、用紙５１６をそのように締め付けてから、クランプ部材５２０を回転させて、用紙５１６をクランプ部材５２０に沿って駆動することができる。このように、移送装置５０４は、用紙５１６の固定、回転及び駆動のすべてに使用することができる。
【００２１】
例示的な実施形態では、移送装置（たとえば、移送装置５０４）は、折り用紙の異なった部分を異なった支持側部に当てて同時に固定するように構成されている。たとえば、例示的な図５Ｇに示されているように、クランプ部材５１８及び５２０は、集積装置の対向側部に押し付ける力を同時に加えるように配置されている。すなわち、移送装置５０４は、クランプ部材５１８及び５２０が同時に集積装置５０２の異なった対向側部上に位置する（また、それらを押し付けることができる）ような構成であるように示されている。このように、移送装置５０４を使用して、折り用紙５１６ｃを集積装置５０２の対向支持側部５３６及び５３８に当てて固定することができる。
【００２２】
例示的な実施形態には、トリム用紙（たとえば、図１Ｂのトリム用紙１１６ｂ）に折り目を付け、それによって折り用紙（たとえば、図１Ｃ〜図１Ｄの折り用紙１１６ｃ）を生じるために、折り装置（たとえば、図１Ａの折り装置１０６）が設けられている。本発明の文脈では、「トリム用紙」という用語は、まだ折られていない用紙のことである。折り装置１０６は、同時係属出願１〜１２に記載されている折り装置のいずれかとして構成することができるか、または、別法として、本明細書で説明される機能を果たすことができる任意の他の折り装置として構成することもできる。図３に示された例示的な実施形態では、折り装置３０６は、図３のｘ軸に沿った長手軸を有する折りブレード３７２を備えている。折り装置３０６は折りローラ３７４も有しており、これらはそれぞれ、折りブレード３７２の長手軸に平行な軸を中心にして回転する。さらに、各折りローラ３７４は、複数のサブローラ３７６を有し、サブローラを積み重ねた長さと、サブローラ間の間隔とを合計した長さは、少なくとも所望折り目の長さである。
【００２３】
例示的な製本機は、オリジナル用紙を切断してトリム用紙を形成するための切断装置（たとえば、切断装置１０８）も備えている。本発明の文脈では、「オリジナル用紙」という用語は、まだ切断されていない用紙のことである。切断装置１０８は、同時係属出願１〜１２に記載されている切断装置（トリム装置とも呼ぶ）のいずれかとして構成することができるか、または、別法として、任意の切断装置として構成することもできる。
【００２４】
オリジナル用紙（たとえば、用紙１１６ａ）を給紙トレイ（たとえば、トレイ１７８）から切断装置に送達する給紙装置（たとえば、給紙装置１１０）も設けられている。給紙装置１１０は、同時係属出願１〜１２に記載されている給紙装置（ピック装置とも呼ぶ）のいずれかとして構成することができるか、または、別法として、任意の給紙装置として構成することもできる。ブックレット用紙になる用紙は、トレイ１７８から出発し、このトレイは、用紙の収容または支持を行う任意の手段として構成することができ、製本機１００のその他の構成部品（たとえば、図１Ａに示されているハウジング１４４）から取り外し可能にすることができる。オリジナル用紙１１６ａは、多数枚の単票用紙として、または連続用紙としてトレイ１７８内に配置することができる。また、用紙１１６ａは、任意の材料、厚さ及び幅にすることができる。
【００２５】
例示的な実施形態では、給紙トレイ（たとえば、トレイ１７８）は、印刷装置（たとえば、印刷装置１４０）の排紙トレイとして形成されるか、または、それに接続される。このように、製本機１００は、トレイ１７８を介して別体の印刷装置１４０に取り外し可能に接続することができ、その印刷装置は、任意の印刷装置（たとえば、デスクトップ型プリンタ装置）にすることができる。もちろん、製本機１００を独立型装置とすることもできる。
【００２６】
例示的な製本機は、折り用紙に穴を開ける穴開け装置（たとえば、図１Ｃの穴開け装置１１２）も有することができる。穴開け装置１１２は、同時係属出願１２に記載されている穴開け装置として構成することができるか、または、別法として、当該技術分野で既知の任意の穴開け手段として構成することもできる。
【００２７】
折り用紙を集積装置で受け取った後、折り用紙をステープル綴じするためのステープル綴じ装置（たとえば、ステープル綴じ装置１１４）も設けられている。ステープル綴じ装置１１４は、同時係属出願１〜１２に記載されているステープル綴じ装置のいずれかとして構成することができるか、または、別法として、当該技術分野で既知の任意の綴じ手段として構成することもできる。例示的な実施形態では、折り用紙束（たとえば、図６の束６８６）を多数のクリンチ位置４８２でステープル綴じするために、ステープル綴じ装置４１４（図４）は集積装置４０２の支持縁部４２６に沿って移動可能である。ステープル綴じ装置４１４は、支持縁部４２６に沿って移動するように、２本のレール４８０に並進可能に取り付けることができる。
【００２８】
例示的な製本機は、個々の用紙情報の記憶及び／または生成を行う処理装置（たとえば、処理装置１４２）も備えており、処理装置は、個々の用紙情報に基づいてオリジナル用紙（たとえば、オリジナル用紙１１６ａ）を切断するように切断装置を制御する。処理装置１４２は、当該技術分野では既知の任意の計算及び制御装置として構成することができ、マイクロプロセッサ及びメモリなどの構成部品を備えることができる。また、処理装置１４２は、当該技術分野では既知の任意のデータまたは電力伝送手段によって製本機１００の任意の構成部品（たとえば、給紙装置１００、切断装置１０８など）に接続することができる。同時係属出願１〜１２に詳細に記載されているように、個々のブックレット用紙は、それぞれの特定の用紙に望まれる特徴に基づいて処理される。この情報（たとえば、各用紙の所望寸法）は、個々の用紙情報によって表され、これは、処理装置１４２が生成するか受け取る、デジタルデータの形をとることができる。個々の用紙情報に基づいて、製本機１００内の装置（たとえば、給紙装置１１０、切断装置１０８など）が制御されて、それにより、所望寸法の個別用紙（及び、最終的にブックレット）を作製する。
【００２９】
たとえば、切断装置１０８に関して言うと、各オリジナル用紙１１６ａを均一かつ正確な長さにトリムすることができ、それにより、最終トリム動作ですべての用紙をまとめてトリムしたかのように、組み合わせたブックレットの縁部がそろう。各ブックレットをトリムする寸法は、アルゴリズムによって決定することができ、ページ数及び用紙の厚さの関数であることができる。アルゴリズムは、処理装置１４２で、または製本機１００から離れた位置の装置（たとえば、パーソナルコンピュータ装置）で実行することができる。
【００３０】
ブックレットを作製する方法が、図１Ａ〜図１Ｄ及び図５Ａ〜図５Ｇに示されている。例示的な方法は、同時係属出願１〜１２のいずれかに記載されている用紙取り扱いステップのいずれかを含むことができる。図５Ａ〜図５Ｇに示されているように、移送装置５０４は、ロード位置にある間に用紙５１６を受け取り、アンロード位置にある間に折り用紙５１６ｃを集積装置５０２に送達し、クランプ位置にある間に折り用紙５１６ｃを集積装置５０２に当てて固定する。
【００３１】
例示的な実施形態では、折り用紙（たとえば、用紙５１６ｃ）を回転可能な移送装置（たとえば、移送装置５０４）で締め付けるステップが含まれる。図５Ａは、移送装置５０４をロードすなわち第１位置に示しており、この位置では、用紙５１６が主駆動部などの上流側装置によって回転可能なクランプ装置５０４内へ進められる。この時、用紙５１６は、オリジナル、トリムまたは折り状態であることができる。図５Ｂでは、変位可能なクランプ部材５１８が、固定クランプ部材５２０に当接する位置に移動しており、これにより、閉鎖位置に達して、用紙５１６の一部分を固定クランプ部材５２０に対して締め付ける。
【００３２】
例示的な実施形態では、回転可能なクランプ装置（たとえば、図５Ｂ及び図５Ｃの移送装置５０４）の移動によって描かれる円弧に沿って折り用紙（たとえば、折り用紙５１６ｃ）を回動可能な集積装置に送達するステップが含まれる。図５Ｂの例に示されているように、移送装置５０４は、用紙５１６を締め付け状態に保持しながら、集積装置５０２の方に回転して、中間位置で停止する。この時、（折り用紙５１６ｃを生じせしめるために）用紙５１６を折ることができる。図５Ｃの例に示されているように、移送装置５０４は次に、図５Ｂに示されている中間位置から集積装置５０２の方に回転し、それにより、締め付けられた折用紙５１６ｃの第１部分５２２を集積装置５０２及び集積駆動部５２８間に送達する。別法として、移送装置５０４が中間位置にある間、変位可能なクランプ部材５１８を回転させることができ、それにより、用紙５１６ｃの第１部分５２２が集積装置５０２の方に前進して、第１部分５２２が集積装置５０２及び（集積装置５０２から離れた位置にある）集積駆動部５２８間を通ることができる。さらに、折り用紙５１６ｃは、移送装置５０４を使用した任意の他の方法で集積装置５０２に送達することができる。
【００３３】
例示的な実施形態では、折り用紙は、集積装置の支持縁部（たとえば、支持縁部５２６）上に載置されて、（たとえば、図５Ｆ、図５Ｇ及び図６に示されているように）折り用紙の折り目（たとえば、折り目５５０）が支持縁部によって受け取られる。図５Ｄに示されているように、集積駆動部５２８が動作して、第１部分５２２を第１支持側部５３６に当てて固定する。次に、クランプ部材５１８がクランプ部材５２０から離れるように移動し、それにより、用紙５１６ｃを解放する（この時、用紙は集積駆動部５２８によって集積装置５０２に固定されている）。移送装置５０４は次に、集積装置５０２から離れて折り目５５０を越えるように回転し、それにより、固定クランプ部材５２０が第２部分５２４の外の方に位置する。次に、集積駆動部５２８が第１部分５２２を第１支持側部５３６に固定している間に、図５Ｅに示されているように、移送装置が第２部分５２４を締め付けて集積装置５０２の方に前進させ始める。図５Ｆに示されているように、集積駆動部５２８が回転して、第１部分５２２を第１支持側部５３６の下方へ前進させ、それにより、折り目５５０が支持縁部５２６に接近して、最終的にそれによって支持される。
【００３４】
例示的な実施形態では、集積装置（たとえば、集積装置５０２）を回動させるステップであって、それにより、折り用紙の異なった部分（たとえば、第１及び第２部分５２２及び５２４）が集積装置の異なった支持側部（たとえば、第１及び第２支持側部５３６及び５３８）によって受け取られるようにする、回動するステップが含まれる。集積駆動部５２８が折り目５５０を支持縁部５２６の方に前進させる時（図５Ｆ）、集積装置５２０が第１軸５５８を中心にして回転し、それにより、支持縁部５２６が第２軸５６０から離れる。同時に、移送装置５０４が第２部分５２４を解放する。この動きにより、第２部分５２４が移送装置５０４を無事通過して（すなわち、クランプ部材５１８及び５２０間の空間から出て）落下し、第２支持側部５３８に当接し、これにより、受け渡しが完了する（これは図１Ｄにも示されている）。移送装置５０４を回転させて、第２部分５２４を払って第２支持側部５３８に当接させることもできる。
【００３５】
したがって、例示的な実施形態では、集積装置（たとえば、集積装置５０２）が回動して折り用紙を受け取り、それにより、折り用紙の第１部分を集積装置の第１支持側部上に受け取り（たとえば、第１部分５２２を第１支持側部５３６上に受け取り）、折り用紙の第２部分を集積装置の第２支持側部上に受け取る（たとえば、第２部分５２４を第２支持側部５３８上に受け取る）。
【００３６】
例示的な実施形態は、トリム用紙（たとえば、図１Ｂの用紙１１６ｂ）を折るステップであって、それにより、折り用紙（たとえば、図１Ｃ及び図１Ｄの用紙１１６ｃ）を形成する、折るステップを含む。たとえば、図１Ｃ（図５Ｂに対応することができる）に示された位置で、折り装置１０６によって折り目１５０が付けられて、折り用紙１１６ｃを生じる。たとえば、駆動装置１３２によってトリム用紙１１６ｂを切断装置１０８から折り装置１０６に前進させることができ、この駆動装置１３２は、用紙を駆動する任意手段にすることができる。
【００３７】
オリジナル用紙（たとえば、用紙１１６ａ）を切断するステップであって、それにより、トリム用紙（たとえば、図１Ｂの用紙１１６ｂ）を生じる、切断するステップが、例示的な実施形態に含まれる。たとえば、図１Ｂにおいて、切断装置１０８によって用紙１１６ａから部分１８４をトリムすることによって、用紙１１６ｂが生じる。トリム部分１８４の寸法は、各用紙で異なることができ、個々の用紙情報に基づくことができる。また、斜行を矯正するステップを実施することができ、これは、切断装置１０８での処理前に、用紙を整合させる任意手段によってオリジナル用紙１１６ａを整合させる。
【００３８】
完全なブックレットを作製するために、例示的な実施形態は、追加の折り用紙を規定の円弧に沿って一枚づつ集積装置に移送するステップも含む。たとえば、所望量の折りブックレット用紙が集積装置１０２に移送されるまで、上記の（図１Ａ〜図１Ｄ及び図５Ａ〜図５Ｆに示されている）ステップを繰り返すことができ、ここで、各ブックレット用紙を個々の用紙情報に基づいて処理することができ、それにより、完成したブックレットは、所望の特徴（たとえば、そろった縁部）を示す。
【００３９】
例示的な実施形態は、（たとえば、図１Ｄ及び図５Ｆに示されているように）各折り用紙を受け取るために集積装置を回動させるステップであって、それにより、折り用紙束（たとえば、図６の束６８６）を集積装置上に形成する、回動させるステップを含む。
【００４０】
例示的な実施形態では、各追加折り用紙の内側折り縁部（たとえば、図６Ｂの内側折り縁部６８８）が、先に受け取られている折り用紙の外側折り縁部（たとえば、外側折り縁部６９０）によって受け取られる。たとえば、（束６８６のうちの１つの折り用紙６１６ｃの折り目６５０を示す）例示的な図６Ｂでは、各折り用紙６１６ｃの折り目６５０が、内側折り縁部６８８及び外側折り縁部６９０を有する。支持縁部６２６によって直接的に支持される用紙６１６ｃは、その内側折り縁部６８８が支持縁部６２６によって支持される一方、それの外側折り縁部６９０は、次の用紙６１６ｃの内側折り縁部を支持する。このように、折り目６５０が整合し、束６８６は、支持縁部６２６によって支持されたブックレットの形をとる。
【００４１】
折り用紙束（たとえば、束６８６）をステープル綴じするステップも、例示的な実施形態に含まれる。たとえば、束６８６を支持縁部６２６の長手軸に沿った（たとえば、図４のｘ軸に沿った）複数位置でステープル綴じ装置１１４によってステープル綴じすることができる。束６８６のステープル綴じ後、組み合わされたブックレットは、排出トレイ（たとえば、図１Ａの排出トレイ１４６）上に放出することができる。
【００４２】
当該技術分野の専門家であれば、本発明を、その精神または本質的特徴から逸脱することなく、他の特定形状で具現できることは、理解できるであろう。したがって、ここに開示されている実施形態は、すべての点で例示的であって制限的でないとみなされる。本発明の範囲は、以上の記載ではなく添付の特許請求の範囲によって表され、その意味及び範囲に入るすべての変化及びその同等物は、それに包含されるものとする。
【図面の簡単な説明】
【００４３】
【図１Ａ】本発明の例示的な実施形態に従った製本機の側面図である。
【図１Ｂ】本発明の例示的な実施形態に従った製本機の側面図である。
【図１Ｃ】本発明の例示的な実施形態に従った製本機の側面図である。
【図１Ｄ】本発明の例示的な実施形態に従った製本機の側面図である。
【図２】図１Ａ〜図１Ｄの例示的な実施形態に従った集積装置の斜視図である。
【図３】図１Ａ〜図１Ｄの例示的な実施形態に従った折り装置の斜視図である。
【図４】図１Ａ〜図１Ｄの例示的な実施形態に従ったステープル綴じ装置及び集積装置の正面図である。
【図５Ａ】図１Ａ〜図１Ｄの例示的な実施形態に従った移送装置及び集積装置の斜視図である。
【図５Ｂ】図１Ａ〜図１Ｄの例示的な実施形態に従った移送装置及び集積装置の斜視図である。
【図５Ｃ】図１Ａ〜図１Ｄの例示的な実施形態に従った移送装置及び集積装置の斜視図である。
【図５Ｄ】図１Ａ〜図１Ｄの例示的な実施形態に従った移送装置及び集積装置の斜視図である。
【図５Ｅ】図１Ａ〜図１Ｄの例示的な実施形態に従った移送装置及び集積装置の斜視図である。
【図５Ｆ】図１Ａ〜図１Ｄの例示的な実施形態に従った移送装置及び集積装置の斜視図である。
【図５Ｇ】図１Ａ〜図１Ｄの例示的な実施形態に従った移送装置及び集積装置の斜視図である。
【図６Ａ】図１Ａ〜図１Ｄの例示的な実施形態に従った折り用紙束の側面図である。
【図６Ｂ】図１Ａ〜図１Ｄの例示的な実施形態に従った折り用紙束の側面図である。
【図１Ａ】
2006508819.tif 000003
【図１Ｂ】
2006508819.tif 000004
【図１Ｃ】
2006508819.tif 000005
【図１Ｄ】
2006508819.tif 000006
【図２】
2006508819.tif 000007
【図３】
2006508819.tif 000008
【図４】
2006508819.tif 000009
【図５Ａ】
2006508819.tif 000010
【図５Ｂ】
2006508819.tif 000011
【図５Ｃ】
2006508819.tif 000012
【図５Ｄ】
2006508819.tif 000013
【図５Ｅ】
2006508819.tif 000014
【図５Ｆ】
2006508819.tif 000015
【図５Ｇ】
2006508819.tif 000016
【図６Ａ】
2006508819.tif 000017
【図６Ｂ】
2006508819.tif 000018
【国際調査報告】
2006508819.tif 000019
2006508819.tif 000020